(57)【要約】【課題】より明るい光を射出可能であるとともに、冷却構造の簡素化、装置のコンパクト化、および騒音の抑制に寄与することのできる照明装置を提供すること。【解決手段】本発明の照明装置２は、照明光軸Ｌを挟んで配置された第１発光管１１ａおよび第２発光管１１ｂと、第１発光管と第２発光管との間に配置されて、第１発光管の周囲のうちの一部を覆い、第１発光管から射出した光を反射させる第１副反射部１４ａと、第１発光管から射出した光と、第１副反射部で反射した光とを反射させる第１主反射部１２ａと、第１発光管と第２発光管との間に配置されて、第２発光管の周囲のうちの一部を覆い、第２発光管から射出した光を反射させる第２副反射部１４ｂと、第２発光管から射出した光と、第２副反射部で反射した光とを反射させる第２主反射部１２ｂと、第１発光管と第２発光管の間に流路１８を形成する流路構造体１３と、を有する。【選択図】図３
2011023222.tif 000002
【特許請求の範囲】
【請求項１】
照明光軸を挟んで配置されて光を射出する第１発光管および第２発光管と、
前記第１発光管と前記第２発光管との間に配置されて、前記第１発光管の周囲のうちの一部を覆い、前記第１発光管から射出した光を反射させる第１副反射部と、
前記第１発光管から射出した光と、前記第１副反射部で反射した光とを反射させる第１主反射部と、
前記第１発光管と前記第２発光管との間に配置されて、前記第２発光管の周囲のうちの一部を覆い、前記第２発光管から射出した光を反射させる第２副反射部と、
前記第２発光管から射出した光と、前記第２副反射部で反射した光とを反射させる第２主反射部と、
第１発光管と第２発光管との間に流体の通過可能な流路が形成された流路構造体と、を有することを特徴とする照明装置。
【請求項２】
前記副反射部は、前記流路構造体に一体に形成されていることを特徴とする請求項１に記載の照明装置。
【請求項３】
前記流路は、前記第１発光管または前記第２発光管の少なくとも一方の近傍に形成された開口と連通していることを特徴とする請求項１または２に記載の照明装置。
【請求項４】
前記流路は、前記照明光軸よりも前記第１発光管側に形成された流路と、前記照明光軸よりも前記第２発光管側に形成された流路と、の複数の流路で構成されていることを特徴とする請求項１〜３のいずれか１つに記載の照明装置。
【請求項５】
前記第１発光管と前記第２発光管とは、前記照明光軸に対して略対称となるように配置されていることを特徴とする請求項１〜４のいずれか１つに記載の照明装置。
【請求項６】
請求項１〜５のいずれか１つに記載の照明装置と、
前記照明装置の流路に流体を通過させる流体駆動部と、
前記照明装置から射出した光を画像信号に応じて変調する空間光変調装置と、を有することを特徴とするプロジェクター。
【請求項７】
前記照明装置の姿勢を検知する姿勢検知部と、
前記姿勢検知部が検知した前記照明装置の姿勢に基づいて、前記流路に流れる流体の量を調整すべく前記流体駆動部を制御する制御部と、をさらに有することを特徴とする請求項６に記載のプロジェクター。
【発明の詳細な説明】
【技術分野】
【０００１】
本発明は、照明装置およびプロジェクター、特にリフレクターを有する照明装置の技術に関する。
【背景技術】
【０００２】
プロジェクターの光源として使用されるランプ、例えば超高圧水銀ランプ等の放電ランプには、発光管から射出した光を反射させるリフレクター（反射鏡）が用いられている。また、より明るい画像を得るために、このようなランプを複数備えて構成した照明装置が提案されている。例えば、複数のランプから射出された光をミラーで反射させて、１つのロッドインテグレータに入射させる技術が提案されている（例えば、特許文献１参照）。
【先行技術文献】
【特許文献】
【０００３】
【特許文献１】特開２００９−２０５３７号公報
【発明の概要】
【発明が解決しようとする課題】
【０００４】
プロジェクターに用いられるランプは、供給された電気エネルギーの多くが熱となり高温となることから、冷却風などによってランプを冷却する冷却装置が必要となる。上記従来の技術によれば、複数のランプそれぞれに対して冷却装置を設ける必要があり、照明装置の大型化や、製造コストの増大を招くという問題が生じる。また、それぞれの冷却装置から駆動音が発生すれば、騒音が大きくなってしまうという問題も生じる。
【０００５】
本発明は、上述の問題に鑑みてなされたものであり、より明るい光を射出可能であるとともに、冷却構造の簡素化、装置のコンパクト化、および騒音の抑制に寄与することのできる照明装置、およびその照明装置を有するプロジェクターを提供することを目的とする。
【課題を解決するための手段】
【０００６】
上述した課題を解決し、目的を達成するために、本発明は、照明光軸を挟んで配置されて光を射出する第１発光管および第２発光管と、第１発光管と第２発光管との間に配置されて、第１発光管の周囲のうちの一部を覆い、第１発光管から射出した光を反射させる第１副反射部と、第１発光管から射出した光と、第１副反射部で反射した光とを反射させる第１主反射部と、第１発光管と第２発光管との間に配置されて、第２発光管の周囲のうちの一部を覆い、第２発光管から射出した光を反射させる第２副反射部と、第２発光管から射出した光と、第２副反射部で反射した光とを反射させる第２主反射部と、第１発光管と第２発光管との間に流体の通過可能な流路が形成された流路構造体と、を有する。
【０００７】
第１発光管と第２発光管の２つの発光管を備えることで、照明装置の高輝度化を図ることができる。また、２つの発光管が照明光軸を挟んで配置され、その間に流体の通過可能な流路が形成されるので、流路に流体を流すことで、対流や輻射によって２つの発光管を同時に冷却することができる。また、２つの副反射部の間に流路を形成すればよいので、冷却構造の簡素化および装置のコンパクト化を図ることができる。また、流路が２つの発光管の間に集約されれば、流体を通過させるのに必要となる装置、例えば送風ファンの数を減らすことができ、騒音の抑制を図ることもできる。
【０００８】
また、本発明の好ましい態様としては、副反射部は、流路構造体に一体に形成されていることが望ましい。副反射部が流路構造体に一体に形成されているので、部品点数の削減、およびコスト抑制を図ることができる。
【０００９】
また、本発明の好ましい態様としては、流路は、第１発光管または第２発光管の少なくとも一方の近傍に形成された開口と連通していることが望ましい。開口からの流体の吹出しや吸込みにより、発光管と副反射部との間の空気を流動させることができ、発光管を効果的に冷却することができる。特に、開口から流体を吹出させた場合には、流体を発光管に直接吹き付けることができ、より一層効果的な冷却を実現することができる。
【００１０】
また、本発明の好ましい態様としては、流路は、照明光軸よりも第１発光管側に形成された流路と、照明光軸よりも第２発光管側に形成された流路と、の複数の流路で構成されていることが望ましい。第１発光管側の流路を流れる流体に第１発光管の冷却を担当させ、第２発光管側の流路を流れる流体に第２発光管の冷却を担当させることができる。また、それぞれの流路に流す流体の量を調節することで、それぞれの発光管の状態に応じた適切な温度制御が可能となる。例えば、副反射部に上側を覆われている発光管のほうが、温度が上昇しやすいので、その発光管側に形成された流路に多くの流体を通過させて、より冷却することで適切な温度制御を行うことができる。
【００１１】
また、本発明の好ましい態様としては、第１発光管と第２発光管とは、照明光軸に対して略対称となるように配置されていることが望ましい。第１発光管と第２発光管とが照明光軸に対して略対称に配置されているので、強度分布の対称性に優れた照明光を得ることができる。
【００１２】
また、本発明のプロジェクターは、上記照明装置と、照明装置の流路に流体を通過させる流体駆動部と、照明装置から射出した光を画像信号に応じて変調する空間光変調装置と、を有する。上記照明装置を用いることで、冷却構造の簡素化、プロジェクターのコンパクト化、騒音の抑制を図ることができる。
【００１３】
また、本発明の好ましい態様としては、照明装置の姿勢を検知する姿勢検知部と、姿勢検知部が検知した照明装置の姿勢に基づいて、流路に流れる流体の量を調整すべく流体駆動部を制御する制御部と、をさらに有することが望ましい。照明装置の姿勢に応じて柳亭の量を調整するので、例えば、温度が上昇しやすい状態となっている発光管側をより冷却できるように流体の流量を調整して、より適切な温度制御を行うことができる。
【図面の簡単な説明】
【００１４】
【図１】本発明の実施例１に係る照明装置を備えるプロジェクターの概略構成を示す図。
【図２】図１に示す照明装置の外観斜視図。
【図３】図１に示す照明装置の断面図。
【図４】流路構造体の斜視図。
【図５】発光管の光エネルギー出光特性図。
【図６】本発明の実施例２に係る照明装置を備えるプロジェクターの概略構成を示す図。
【図７】図６に示す照明装置の断面図。
【図８】本発明の実施例３に係る照明装置を備えるプロジェクターの概略構成を示す図。
【図９】図８に示す照明装置の断面図。
【発明を実施するための形態】
【００１５】
以下に図面を参照して、本発明の実施例を詳細に説明する。
【実施例１】
【００１６】
図１は、本発明の実施例１に係る照明装置を備えるプロジェクターの概略構成を示す図である。プロジェクター１は、不図示のスクリーンへ光を投写し、スクリーンで反射する光を観察することで画像を鑑賞するフロント投写型のプロジェクターである。プロジェクター１は、照明装置２、送風ファン（流体駆動部）６、光学エンジン８を有して大略構成される。なお、本願の実施例の説明において、照明装置２から光学エンジン８に向かう軸をＺ軸とする。Ｚ軸と直交し互いに垂直に交わる軸をＸ軸及びＹ軸とする。また、Ｚ軸の矢印方向側を前側とし、その逆方向側を後側という。また、Ｙ軸の矢印方向側を上側または上方といい、その逆方向側を下側または下方という。
【００１７】
図２は、照明装置２の概略構成を示す外観斜視図である。図３は、照明装置２の断面図である。照明装置２は、第１光源部９、第２光源部１０、流路構造体１３を有して構成される。照明装置２は、赤色（Ｒ）光、緑色（Ｇ）光、青色（Ｂ）光を含む光を射出する。
【００１８】
第１光源部９および第２光源部１０は、それぞれが発光管１１、主反射鏡１２を備える。発光管１１は、例えば、超高圧水銀ランプである。発光管１１の内部は、例えば石英部材を用いて封止されている。発光部１５は、発光管１１のうち第１封止部１６及び第２封止部１７に挟まれた球状部分であって、光を射出する。発光部１５の内部には、一対の電極が配置される放電空間が形成されている。第１封止部１６は、発光管１１のうち、発光部１５に対して前側に設けられた円筒形状の部分である。第２封止部１７は、発光管１１のうち、発光部１５に対して後側に設けられた円筒形状の部分である。なお、第１光源部９が備える発光管１１を第１発光管１１ａといい、第２光源部１０が備える発光管１１を第２発光管１１ｂという。
【００１９】
第１光源部９と第２光源部１０とは、照明装置２の照明光軸Ｌを挟んで対称となるように、上下に並べて配置される。また、第１発光管１１ａと第２発光管１１ｂも、照明装置２の照明光軸Ｌを挟んで対称となるように配置されている。なお、照明光軸Ｌとは、照明装置２全体としての光軸のことである。これにより、強度分布の対称性に優れた照明光を得ることができる。なお、光源部９，１０、発光管１１ａ，１１ｂを非対称に配置してもよい。
【００２０】
主反射鏡１２は、発光部１５から射出した光を反射させ、前側へ進行させる。主反射鏡１２は、中心軸ＡＸを中心として楕円を回転させることにより得られる回転楕円面を、中心軸ＡＸを含む平面で切断することにより得られる曲面と略同じ形状をなしている。なお、第１光源部９が備える主反射鏡１２を第１主反射鏡（第１主反射部）１２ａといい、第２光源部１０が備える主反射鏡１２を第２主反射鏡（第２主反射部）１２ｂという。
【００２１】
第１主反射鏡１２ａは、第１発光管１１ａの光軸Ｌ１と中心軸ＡＸが一致するように配置される。また、第２主反射鏡１２ｂは、第２発光管１１ｂの光軸Ｌ２と中心軸ＡＸが一致するように配置される。なお、発光管の光軸とは、発光管が備える電極間の略中心を通る軸であり、発光管の強度分布における略対象軸である。このように、向かい合わせて配置される第１主反射鏡１２ａと第２主反射鏡１２ｂとが、所定の平面で切断された形状をなすので、切断されていない反射鏡を用いる場合に比べて、照明装置２のコンパクト化を図ることができ、プロジェクター１のコンパクト化にも寄与することができる。
【００２２】
主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。
【００２３】
なお、主反射鏡１２は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしてもよい。また、回転楕円面等の回転面を切断する平面の位置は、中心軸ＡＸを含む位置でもよいし、中心軸ＡＸよりも下側となる位置であってもよい。
【００２４】
流路構造体１３は、第１発光管１１ａと第２発光管１１ｂとの間に配置される。流路構造体１３の表面には、第１発光管１１ａ側に第１副反射部１４ａが形成され、第２発光管１１ｂ側に第２副反射部１４ｂが形成される。
【００２５】
第１副反射部１４ａは、第１発光管１１ａの発光部１５から射出した光を、その発光部１５へ向けて反射させる。第１副反射部１４ａで反射された光は、発光部１５を通過して第１主反射鏡１２ａに入射し、前側に向けて反射される。これにより、発光部１５から射出した光を光学エンジン８に向けて効率良く進行させることが可能となる。第１副反射部１４ａは、流路構造体１３の表面を凹ませて形成されており、発光部１５の周囲の一部を下側から覆う。第１副反射部１４ａと発光部１５との間には、隙間が設けられている。
【００２６】
第２副反射部１４ｂは、第２発光管１１ｂの発光部１５から射出した光を、その発光部１５へ向けて反射させる。第２副反射部１４ｂで反射された光は、発光部１５を通過して第２主反射鏡１２ｂに入射し、前側に向けて反射される。これにより、発光部１５から射出した光を光学エンジン８に向けて効率良く進行させることが可能となる。第２副反射部１４ｂは、流路構造体１３の表面を凹ませて形成されており、発光部１５の周囲の一部を上側から覆う。第２副反射部１４ｂと発光部１５との間には、隙間が設けられている。
【００２７】
各副反射部１４ａ，１４ｂは、所望の形状に凹ませた部分の表面に高反射性部材、例えば誘電体多層膜や金属部材を蒸着させることにより構成されている。高反射性部材は、可視領域の波長の光について高い反射率である部材を用いる。
【００２８】
図４は、流路構造体１３の斜視図である。流路構造体１３の内部には、流体の通過可能な流路１８が形成される。流路１８は、流路構造体１３の後側に形成された１つの入口１９と、各副反射部１４ａ，１４ｂに形成された２つの出口（開口）２０とを結んで形成される。流路１８は、入口１９から内部に連通する一本の通路が途中で分岐して、各副反射部１４ａ，１４ｂに形成された出口２０に連通して構成される。出口２０が各発光管１１ａ，１１ｂの近傍である各副反射部１４ａ，１４ｂに形成されているので、流路１８に流体として、例えば空気を通過させれば、各副反射部１４ａ，１４ｂと発光部１５との間の空気を確実に流動させて、両発光管１１ａ，１１ｂを十分に冷却することができる。
【００２９】
ここで、照明装置２は、第１発光管１１ａと第２発光管１１ｂの２つの発光管を備えることで、高輝度化を図ることができる。また、両発光管１１ａ，１１ｂの間に流路１８を形成するだけで照明装置２側の冷却構造を構成することができるので、冷却構造の簡素化による照明装置２のコンパクト化を図ることができる。また、各副反射部１４ａ，１４ｂが流路構造体１３に一体に形成されているので、部品点数の削減、およびコスト抑制を図ることができる。
【００３０】
なお、入口１９を流路構造体１３の前側に形成しても構わない。また、流路の本数は、本実施例１で示す本数に限られず、より多くの流路を形成しても構わない。また、流路の分岐数も本実施例１で示す数に限られず、より多くの数に分岐しても構わない。
【００３１】
なお、出口２０の形成される位置は、発光部１５の中心点Ｃと出口２０とを結んだ直線と、発光管１１ａ，１１ｂの光軸Ｌ１，Ｌ２とのなす角度αが４５度よりも小さくなる範囲であることが望ましい。
【００３２】
図５は、発光管１１ａ，１１ｂの光エネルギー出光特性図である。光エネルギー出光特性図は、光の射出角度と射出される光のエネルギーとの一般的な関係を示す。横軸には、光の射出角度、すなわち中心点Ｃから射出される光の光線と発光管１１ａ，１１ｂの中心軸Ｌ１，Ｌ２とがなす角度を示す。縦軸には、光のエネルギー量を示す。
【００３３】
図５に示すように、発光管１１ａ，１１ｂは、すべての射出角度に対して等しいエネルギーで光を射出しておらず、およそ４５度の射出角度において、ピーク量の約半分のエネルギーで光を射出している。したがって、図３に示す角度αが４５度以上となると、ピーク量の半分以上のエネルギーで射出される光の一部が副反射部１４ａ，１４ｂに入射せず、光の利用効率が著しく低下してしまう。これに対し、角度αを、４５度より小さくすることで、少なくともピーク量の半分以上のエネルギーで射出される光を副反射部１４ａ，１４ｂで反射させることができ、光の利用効率の低下を抑えることができる。
【００３４】
送風ファン６は、流路１８の入口１９に接続されて、流路１８内に流体として空気を送り込んで通過させる。ここで、送風ファン６から送り込まれた空気の流れを説明する。送風ファン６から送り込まれた空気は、流路１８に流入する。流路１８に流入した空気は、途中で分岐されて、各副反射部１４ａ，１４ｂに形成された出口２０から吹き出される。これにより、各副反射部１４ａ，１４ｂと発光部１５との間の空気を流動させて、両発光管１１ａ，１１ｂを十分に冷却することができる。特に、出口２０から空気が吹き出されるので、発光部１５に空気を直接吹き付けることができ、より一層効率よく両発光管１１ａ，１１ｂを冷却することができる。なお、流路１８から空気を吸込むように送風ファン６を接続してもよい。この場合、出口２０から空気が吸込まれることで、両副反射部１４ａ，１４ｂと発光部１５との間の空気が流動される。
【００３５】
ここで、両発光管１１ａ，１１ｂの間に形成された流路１８に空気を通過させるだけで２つの発光管１１ａ，１１ｂを冷却することができるので、必要となる送風ファンの数を減らすことができ（本実施例では１つ）、騒音の抑制を図ることができる。
【００３６】
次に光学エンジン８について説明する。凹レンズ７８は、照明装置２から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００３７】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、照明装置２からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００３８】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００３９】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００４０】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００４１】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００４２】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００４３】
プロジェクター１は、上記の照明装置２を用いることで、発光管１１の十分な冷却を可能とし、発光管１１の劣化を低減できる。これにより、高い信頼性のプロジェクター１を得られるという効果を奏する。
【００４４】
プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクターであっても良い。プロジェクター１は、スクリーンの一方の面に光を供給し、スクリーンの他方の面から射出される光を観察することで画像を鑑賞する、いわゆるリアプロジェクターであっても良い。
【００４５】
また、本実施例１では、第１光源部９と第２光源部１０とを上下に並べて配置したが、これに限られず、横に並べて配置してももちろん構わない。
【実施例２】
【００４６】
図６は、本発明の実施例２に係る照明装置１０２を備えるプロジェクターの概略構成を示す図である。実施例１と同様の構成部分には同一の符号を付し、重複する説明を省略する。本実施例２では、プロジェクター１０１が、第１送風ファン（流体駆動部）１０６ａと第２送風ファン（流体駆動部）１０６ｂの２つの送風ファンを備える。また、プロジェクター１０１は、姿勢検知部１０３、送風制御部（制御部）１０４を備え、プロジェクター１０１の姿勢に応じた送風制御が行われる。
【００４７】
図７は、照明装置１０２の断面図である。照明装置１０２が備える流路構造体１１３には、後側に２つの入口１９が形成され、各副反射部１４ａ，１４ｂに出口２０が形成されている。また、流路構造体１１３の内部には、一方の入口１９と第１副反射部１４ａに形成された出口２０とを結ぶ第１流路１８ａが形成され、他方の入口１９と第２副反射部１４ｂに形成された出口２０とを結ぶ第２流路１８ｂが形成される。
【００４８】
第１送風ファン１０６ａは、第１流路１８ａに接続されて、第１流路１８ａに空気を送り込む。第２送風ファン１０６ｂは、第２流路１８ｂに接続されて、第２流路１８ｂに空気を送り込む。姿勢検知部１０３は、プロジェクター１０１の姿勢を検知することで、照明装置１０２の姿勢を検知する。プロジェクター１０１は、例えば、床に置いた状態で使用される場合と、天井に吊り下げられた状態で使用される場合がある。床に置いた状態を正立状態とすると、天井に吊り下げられた状態では、正立状態から上下が逆転した倒立状態となる。姿勢検知部１０３は、プロジェクター１０１が正立状態で使用されているか、倒立状態で使用されているかを検知する。
【００４９】
送風制御部１０４は、第１送風ファン１０６ａおよび第２送風ファン１０６ｂを制御し、各送風ファン１０６ａ，１０６ｂが各流路１８ａ，１８ｂに送り込む風量を調節する。ここで、図７が正立状態を示すものとすると、第１発光管１１ａは、その下側が第１副反射部１４ａに覆われる。また、第２発光管１１ｂは、その上側が第２副反射部１４ｂに覆われる。熱は上方にこもりやすいため、正立状態では、上側が覆われた第２発光管１１ｂのほうが、発光部１５と第２副反射部１４ｂとの間に熱がこもりやすく、高温になりやすい。
【００５０】
一方、倒立状態では、図７に示す状態から上下逆転するため、第１発光管１１ａの上側が第１副反射部１４ａに覆われることになるので、第１発光管１１ａのほうが第２発光管１１ｂよりも高温になりやすい。
【００５１】
そこで、送風制御部１０４は、姿勢検知部１０３による姿勢検知情報に基づいて、正立状態であれば第２送風ファン１０６ｂの風量を大きくして、温度が上昇しやすくなっている第２発光管１１ｂ側の冷却能力を高める。また、倒立状態であれば、送風制御部１０４は、第１送風ファン１０６ａの風量を大きくして、温度が上昇しやすくなっている第１発光管１１ａ側の冷却能力を高める。したがって、両発光管１１ａ、１１ｂのいずれか一方の温度が上昇しやすい場合であっても、両発光管１１ａ、１１ｂの温度制御を適切に行うことができる。
【００５２】
なお、流路構造体１３の前側に入口１９を形成しても構わない。また、各流路１８ａ，１８ｂから空気を吸込むように各送風ファン１０６ａ，１０６ｂを接続してもよい。この場合、出口２０から空気が吸込まれることで、両副反射部１４ａ，１４ｂと発光部１５との間の空気が流動される。
【００５３】
また、正立状態または倒立状態のいずれか一方のみでの使用が想定されるプロジェクターであれば、第１流路と第２流路の太さを異ならせて形成してもよい。この場合、常に一方の発光管が下側に位置して、温度が上昇しやすくなる。そこで、温度の上昇しやすい発光管側に空気を送り込む流路を太く形成し、１つの送風ファンを第１流路と第２流路の両方に接続すれば、より太い流路のほうに多くの空気が流れるので、発光管の配置に合わせた適切な温度制御が可能となる。また、送風ファンが１つで済むため騒音の抑制を図ることができる。
【実施例３】
【００５４】
図８は、本発明の実施例３に係る照明装置１５２を備えるプロジェクター１５１の概略構成を示す図である。上記実施例と同様の構成部分には同一の符号を付し、重複する説明を省略する。本実施例３では、流路に冷媒を通過させる。プロジェクター１５１は、ポンプ（流体駆動部）１１０とラジエータ１１２を備える。
【００５５】
図９は、照明装置１５２の断面図である。照明装置１５２が備える流路構造体１５３の後側には、１つの入口１９が形成され、前側には２つの出口２０が形成されている。入口１９から内部に連通する一本の通路が途中で分岐して、２つの出口２０のそれぞれにつながる。分岐後は、一方が照明光軸Ｌよりも第１発光管１１ａ側を通り、他方が照明光軸Ｌよりも第２発光管１１ｂ側を通る。
【００５６】
ポンプ１１０は、流路構造体１５３の入口１９および出口２０と連結され、入口１９から冷媒を送り込み、出口２０から冷媒を回収する。このように、ポンプ１１０は、流路１８内に液体冷媒を循環させる。冷媒としては、例えば水、ハイドロフルオロエーテル、フッ素系不活性液体、プロピレングリコール、エチレングリコール等を用いる。冷媒は、流路１８を通過する過程で、流路構造体１５３の熱を吸収する。
【００５７】
ラジエータ１１２は、出口２０とポンプ１１０との間に設けられる。冷媒は、流路１８を通過したした際に吸収した熱を、ラジエータ１１２を通過する過程で放熱する。
【００５８】
流路構造体１５３は、両発光管１１ａ，１１ｂで発生する熱によって温度が上昇するが、その熱は冷媒に吸収される。冷媒に熱が吸収されて流路構造体１５３の温度が低下することで、両発光管１１ａ，１１ｂを、副反射部１４ａ，１４ｂからの輻射や対流によって効率的に冷却することが可能となる。なお、流路構造体１５３は、冷媒による冷却の効率を高めるために、伝熱性の高い材料、例えば金属材料で構成されることが望ましい。
【００５９】
流路構造体１５３を設けることで、２つの発光管を同時に冷却することができるので、構造の簡素化、装置のコンパクト化を図ることができる。また、１つのポンプで両発光管１１ａ，１１ｂを冷却することができるので、騒音の発生を抑えることもできる。
【００６０】
なお、分岐後の流路の太さを異ならせて形成してもよい。例えば、プロジェクター１５１が正立状態のみでの使用を想定している場合には、照明光軸Ｌよりも第２発光管１１ｂ側を通る流路のほうを太く形成してもよい。照明光軸Ｌよりも第２発光管１１ｂ側を通る流路に多くの冷媒が通過するようになり、第発光管１１ｂ側の冷却能力を高めることができる。
【００６１】
また、第１発光管１１ａ側を通る流路と第２発光管１１ｂ側を通る流路を別々に設けてもよい。この場合であれば、それぞれの流路を通過する冷媒の量を制御して調節することで、プロジェクターの姿勢に応じた適切な発光管の冷却を実現することができる。
【産業上の利用可能性】
【００６２】
以上のように、本発明に係る照明装置は、プロジェクターに用いる場合に適している。
【符号の説明】
【００６３】
Ｌ  照明光軸、Ｌ１，Ｌ２  発光管の光軸、１，１０１，１５１  プロジェクター、２，１０２，１５２  照明装置、６，１０６ａ，１０６ｂ  送風ファン（流体駆動部）、８  光学エンジン、９  第１光源部、１０  第２光源部、１１  発光管、１１ａ  第１発光管、１１ｂ  第２発光管、１２  主反射鏡、１２ａ  第１主反射鏡（第１主反射部）、１２ｂ  第２主反射鏡（第２主反射部）、１３，１１３，１５３  流路構造体、１４ａ  第１副反射部、１４ｂ  第２副反射部、１５  発光部、１６  第１封止部、１７  第２封止部、１８  流路、１８ａ  第１流路、１８ｂ  第２流路、１９  入口、２０  出口（開口）、６１  第１インテグレーターレンズ、６２  第２インテグレーターレンズ、６３  偏光変換素子、６４  重畳レンズ、６５  第１ダイクロイックミラー、６６  反射ミラー、６７Ｒ  Ｒ光用フィールドレンズ、６７Ｇ  Ｇ光用フィールドレンズ、６７Ｂ  Ｂ光用フィールドレンズ、６８Ｒ  Ｒ光用空間光変調装置、６８Ｇ  Ｇ光用空間光変調装置、６８Ｂ  Ｂ光用空間光変調装置、６９  クロスダイクロイックプリズム、７０  第２ダイクロイックミラー、７１  リレーレンズ、７２  反射ミラー、７３  リレーレンズ、７４  反射ミラー、７５  第１ダイクロイック膜、７６  第２ダイクロイック膜、７７  投写レンズ、７８  凹レンズ、１０３  姿勢検知部、１０４  送風制御部（制御部）、１１０  ポンプ（流体駆動部）、１１２  ラジエータ
【図１】
2011023222.tif 000003
【図２】
2011023222.tif 000004
【図３】
2011023222.tif 000005
【図４】
2011023222.tif 000006
【図５】
2011023222.tif 000007
【図６】
2011023222.tif 000008
【図７】
2011023222.tif 000009
【図８】
2011023222.tif 000010
【図９】
2011023222.tif 000011